(57)【要約】      （修正有）【課題】複数の設定項目についての設定値をまとめて設定する際の操作性を向上させる。【解決手段】電子機器（画像形成装置）１は、タッチパネル機能を有し、複数の設定キーを含む設定画面を表示する表示部４７３と、表示部４７３に表示された設定画面に対するタッチ操作で選択された複数の設定キーを合成して、複数の設定キーの各設定値を保持する新たな設定キーを作成するキー作成部１０１と、作成された新たな設定キーを設定画面に表示させる制御部１００と、新たな設定キーへのタッチ操作が受け付けられたとき、新たな設定キー作成の元となった複数の設定キーに対応する各設定項目についての設定値として、新たな設定キーに設定される各設定値を受け付ける設定値受付部１０２と、を備える。【選択図】図２
2016218637.tif 000002
【特許請求の範囲】
【請求項１】
タッチパネル機能を有し、設定項目についての設定値の設定を受け付けるための複数の設定キーを含む設定画面を表示する表示部と、
前記表示部に表示された前記設定画面に対するタッチ操作に基づいて前記タッチパネル機能により選択が受け付けられた複数の設定キーを合成して、当該複数の設定キーに設定されている各設定値を保持する新たな設定キーを作成するキー作成部と、
前記表示部に前記設定画面を表示させると共に、前記キー作成部により作成された新たな設定キーを当該設定画面に表示させる制御部と、
前記表示部に表示された前記新たな設定キーへのタッチ操作が前記タッチパネル機能により受け付けられたとき、前記新たな設定キー作成の元となった複数の設定キーに対応する各設定項目についての設定値として、前記新たな設定キーに設定される各設定値を受け付ける設定値受付部と、を備えた電子機器。
【請求項２】
前記制御部は、前記表示部に、合成対象とする複数の設定キーを、前記タッチパネル機能により検出されるドラッグ＆ドロップ操作により移動させるための合成エリアを表示させ、
前記キー作成部は、前記設定画面から前記合成エリアに、前記ドラッグ＆ドロップ操作により移動されてきた複数の設定キーに関して合成指示を受けたとき、当該複数の設定キーを合成して前記新たな設定キーを作成する請求項１に記載の電子機器。
【請求項３】
前記制御部は、前記合成エリアに、前記ドラッグ＆ドロップ操作により、合成の対象とする前記設定キーが移動されてきたとき、当該設定キーと、前記合成エリアに既に表示させている設定キーのそれぞれに対応付けられている設定項目同士を比較し、当該各設定項目が予め定められた合成禁止関係にあるときは、前記移動されてきた設定キーを、前記既に表示させている設定キーから離れる方向に移動させる表示とする請求項２に記載の電子機器。
【請求項４】
前記キー作成部は、前記新たな設定キーとして既に作成されている作成済み設定キーが前記制御部による制御で前記合成エリアに表示されているときに、未合成の設定キーが重ねてドラッグ＆ドロップ操作で前記合成エリアに移動されてきたとき、当該未合成の設定キーを前記作成済み設定キーに更に合成して、新たな設定キーを作成する請求項２又は請求項３に記載の電子機器。
【請求項５】
前記キー作成部は、前記合成エリアに既に表示されている前記作成済み設定キーの表示領域に、別の作成済み設定キーがドラッグ＆ドロップ操作により移動されてきたとき、前記既に表示されている作成済み設定キーに設定されている設定値であって、前記別の作成済み設定キーに対応付けられている設定項目と同一の設定項目についての設定値を、当該移動されてきた前記別の作成済み設定キーに設定されている設定値に更新する請求項２又は請求項３に記載の電子機器。
【請求項６】
前記キー作成部は、前記合成エリアに既に表示されている前記作成済み設定キーについての解除指示が受け付けられたとき、当該作成済み設定キーを、元の複数の設定キーに分解する請求項２乃至請求項５のいずれかに記載の電子機器。
【請求項７】
前記キー作成部は、前記タッチパネル機能により、前記合成エリアに既に表示されている前記作成済み設定キーに対するタッチ操作が受け付けられ、更に、当該作成済み設定キーについての解除指示が受け付けられたとき、当該作成済み設定キーの表示領域において前記タッチ操作が受け付けられた箇所に応じた、前記元の複数の設定キーへの分解を行う請求項６に記載の電子機器。
【発明の詳細な説明】
【技術分野】
【０００１】
本発明は、複数の設定項目についての設定値を設定する際の操作性を向上させる技術に関する。
【背景技術】
【０００２】
コピー機、プリンター、スキャナー、ファクシミリ装置、及びこれら複数の機能を兼ね備えた複合機等の電子機器では、用紙の選択、原稿読取サイズの設定、印字濃度の設定等の様々な設定項目の設定が可能である。しかし、このように多数の設定項目が存在することにより、操作者は機器使用の度に複数の設定項目について設定値を設定しなければならず、機器操作が煩雑であった。
【０００３】
かかる問題に関して、下記特許文献１には、複数設定キーを設けて、当該複数設定キーが押下されると機器が複数機能設定モードになり、複数機能設定モード中に、例えばコピーやファクシミリ等の機能キーが押下されると、押下された複数のコピーやファクシミリ等の機能についての設定値を一度に設定できる技術が開示されている。
【先行技術文献】
【特許文献】
【０００４】
【特許文献１】特開２０００−３０７８３４号公報
【発明の概要】
【発明が解決しようとする課題】
【０００５】
上記特許文献１に開示された技術により、複数機能設定モードにおいて複数の設定キーを同時に押して複数の詳細機能を一度に設定することができるが、たとえよく使用する機能の組み合わせであっても機器使用の度に複数機能設定モードにして複数の設定キーを押す必要があり不便である。
【０００６】
本発明は、上記の事情に鑑みなされたものであり、複数の設定項目を有する電子機器において複数の設定項目についての設定値をまとめて設定する際の操作性を向上させることを目的とする。
【課題を解決するための手段】
【０００７】
本発明の一局面に係る電子機器は、タッチパネル機能を有し、設定項目についての設定値の設定を受け付けるための複数の設定キーを含む設定画面を表示する表示部と、
前記表示部に表示された前記設定画面に対するタッチ操作に基づいて前記タッチパネル機能により選択が受け付けられた複数の設定キーを合成して、当該複数の設定キーに設定されている各設定値を保持する新たな設定キーを作成するキー作成部と、
前記表示部に前記設定画面を表示させると共に、前記キー作成部により作成された新たな設定キーを当該設定画面に表示させる制御部と、
前記表示部に表示された前記新たな設定キーへのタッチ操作が前記タッチパネル機能により受け付けられたとき、前記新たな設定キー作成の元となった複数の設定キーに対応する各設定項目についての設定値として、前記新たな設定キーに設定される各設定値を受け付ける設定値受付部と、を備えたものである。
【発明の効果】
【０００８】
本発明によれば、複数の設定項目についての設定値をまとめて設定する際の操作性を向上させることが可能となる。
【図面の簡単な説明】
【０００９】
【図１】本発明の一実施形態に係る電子機器としての画像形成装置の構造を示す正面断面図である。
【図２】画像形成装置の主要内部構成を示す機能ブロック図である。
【図３】コピー機能に関する設定項目を表示する画面例を示す図である。
【図４】コピー機能に関する別の設定項目を表示する画面例を示す図である。
【図５】表示部に表示された設定キーの合成処理を示すフローチャートである。
【図６】図３に示した画面例において任意の設定キーを合成エリアにドラッグ＆ドロップ操作する様子を示す図である。
【図７】図４に示した画面例において任意の設定キーを合成エリアにドラッグ＆ドロップ操作する様子を示す図である。
【図８】ドラッグ＆ドロップ操作された複数の設定キーを合成して新たな設定キーを作成する様子を示す図である。
【図９】新たな設定キーを確定される様子を示す図である。
【図１０】新たな設定キーがタッチ操作されたときの設定値受付処理を示すフローチャートである。
【図１１】新たな設定キーの更新処理を示すフローチャートである。
【図１２】新たな設定キーに未合成の設定キーを追加する様子を示す図である。
【図１３】合成エリアに既に表示されている作成済み設定キーの設定値を、移動されてきた別の作成済み設定キーの設定値に更新する様子を示す図である。
【図１４】任意の設定キーを合成エリアにドラッグ＆ドロップ操作する様子を示す図である。
【図１５】合成対象とされる設定キーが合成禁止関係にあるときに、作成済みの設定キーから離れていくように表示される様子を示す図である。
【図１６】合成エリアに既に表示されている作成済み設定キーの表示領域にタッチ操作する様子を示す図である。
【図１７】作成済み設定キーが分解された様子を示す図である。
【発明を実施するための形態】
【００１０】
以下、本発明の一実施形態に係る電子機器としての画像形成装置について図面を参照して説明する。図１は、本発明の一実施形態に係る電子機器としての画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
画像形成装置１が画像形成動作を行う場合は、上記原稿読取動作により作成された画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１５】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。駆動モーター７０は、画像形成部１２の各回転部材及び搬送ローラー対１９（図１）等に回転駆動力を付与する駆動源である。
【００１６】
表示部４７３は、画像形成装置１が有するコピー機能、送信機能、ファクシミリ機能等についての各種設定項目の設定値を設定するためのコピー画面、送信画面、ファクシミリ画面等の設定画面を表示するデバイスであり、液晶ディスプレイパネル等で構成される。更に、表示部４７３はタッチパネル機能を有しており、当該タッチパネル機能は、表示部４７３に表示された各種設定キーに対する操作者によるタッチ操作を検出して、操作者からの上記設定値の入力を受け付ける。
【００１７】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、キー作成部１０１、及び設定値受付部１０２を備える。
【００１８】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００１９】
特に、制御部１００は、表示部４７３への各種画面の表示を制御し、また、上記タッチパネル機能により受け付けられた上記各設定値の入力を受け付ける。各種画面には、上述したコピー画面、送信画面、ファクシミリ画面等の設定画面の他、画像形成装置１の初期画面であるホーム画面がある。ホーム画面にはコピーキー、送信キー、ファクシミリキー等の各種操作キーが配置されており、操作者が任意の操作キーをタッチ操作することで、制御部１００は、上記タッチパネル機能により、押された操作キーに対応する設定画面を呼び出す指示を受け付け、当該設定画面を呼び出して表示部４７３に表示させる。
【００２０】
また、後述するように、表示部４７３に表示された設定画面には、各種設定項目の設定値を受け付ける複数の設定キーが含まれる。キー作成部１０１は、表示部４７３に表示された設定画面に対するタッチ操作で、タッチパネル機能により選択が受け付けられた複数の設定キーを合成して新たな設定キーを作成する。このとき、キー作成部１０１は、合成する複数の設定キーの各設定値を、作成する新たな設定キーに対応付けて保持する。なお、キー作成部１０１による新たな設定キーの作成処理については後述する。
【００２１】
設定値受付部１０２は、キー作成部１０１によって作成されて表示部４７３に表示されている新たな設定キーへのタッチ操作がタッチパネル機能により受け付けられたとき、当該新たな設定キー作成の元となった複数の設定キーに対応する各設定項目についての設定値として、当該新たな設定キーに設定される各設定値を受け付ける。
【００２２】
制御ユニット１０は、ＨＤＤ９２にインストールされているコンピュータープログラムに従った動作により、制御部１００、キー作成部１０１、及び設定値受付部１０２として機能する。但し、当該制御部１００、キー作成部１０１、及び設定値受付部１０２は、制御ユニット１０によるコンピュータープログラムに従った動作によらず、ハード回路により構成することも可能である。
【００２３】
次に、表示部４７３に表示された設定キーの合成処理について説明する。まず、設定キーの合成処理の前提条件となる、表示部４７３の画面構成について説明する。ここでは、画像形成装置１のコピー機能の各種設定項目についての設定を行うコピー画面を例にして説明する。
【００２４】
画像形成装置１のコピー機能には、原稿の読み取りに関する設定、用紙に関する設定、印字品質に関する設定等の様々な設定項目があり、これらの設定項目は、制御部１００による表示制御の下、設定対象項目毎にグルーピングされて表示部４７３にタブ様式で表示される。図３は、コピー機能に関する設定項目を表示する画面例を示す図である。また、図４は、コピー機能に関する別の設定項目を表示する画面例を示す図である。
【００２５】
図３及び図４に示したように、画像形成装置１のコピー機能の各種設定項目は、「簡単設定」タブＴ１（図３）及び「カラー／画質」タブＴ２（図４）にそれぞれグルーピングされている。例えば、「簡単設定」タブＴ１には、給紙カセットを選択するための「用紙選択」キーＫ１１、原稿の倍率を設定するための「拡大／縮小」キーＫ１２、印刷濃度を設定するための「濃度」キーＫ１３、用紙の両面への印刷や両面原稿の１ページずつの片面印刷を設定するための「両面／分割」キーＫ１４、複数枚の原稿を１枚に集約して印刷する設定を行うための「ページ集約」キーＫ１５、原稿の読み込みサイズを設定するための「原稿サイズ」キーＫ１６といった複数の設定キーが含まれる。また、「カラー／画質」タブＴ２には、用紙への画像形成時の印字色として、カラー原稿と白黒原稿を識別して印刷するための「自動」キーＫ２１、フルカラー印刷するための「フルカラー」キーＫ２２、白黒印刷するための「白黒」キーＫ２３、６色のうち任意の単色で印刷するための「単色カラー」キーＫ２４、単色印刷時の色を指定するための「シアン」キーＫ３１、「マゼンタ」キーＫ３２、・・・、「ブルー」キーＫ３６といった複数の設定キーが含まれる。
【００２６】
制御部１００は、タッチパネル機能により検出される、画面下部の「簡単設定」タブＴ１又は「カラー／画質」タブＴ２に対する操作者のタッチ操作に従って、タッチ操作がされたタブを最前面に表示させ、タッチパネル機能による操作の検出で、操作者から、必要な設定項目についての設定値の入力を受け付け可能な状態とする。
【００２７】
更に、上記二つのタブ以外に「合成」タブＴ３が設けられている。操作者が「合成」タブＴ３にタッチすることで、複数の設定キーを合成するための合成エリア（図６）が最前面に表示される。
【００２８】
図５は、表示部４７３に表示された設定キーの合成処理を示すフローチャートである。図６は、図３に示した画面例において任意の設定キーを合成エリアにドラッグ＆ドロップ操作する様子を示す図である。
【００２９】
制御部１００は、図３又は図４に示したようなコピー画面を表示部４７３に表示させているときに、操作者がいずれかの設定キーに触れたことがタッチパネル機能により検出されたことを判定すると（Ｓ１でＹＥＳ）、操作者によるタッチ操作が示す指示に従って、当該設定キーの設定値を変更する（Ｓ２）。例えば、操作者が「簡単設定」タブＴ１における「濃度」キーＫ１３に触れて濃度を「こく＋１」に操作した場合、制御部１００は、コピー機能における印字濃度を「こく＋１」に設定する。また、操作者が「簡単設定」タブＴ１における「拡大／縮小」キーＫ１２に触れて倍率を「７０％」に操作した場合、制御部１００は、コピー機能における縮尺倍率を「７０％」に設定する。
【００３０】
ここで、制御部１００は、表示部４７３に、合成対象とする複数の設定キーを、タッチパネル機能により検出される上記ドラッグ＆ドロップ操作により移動させるための合成エリア２００を表示させている（図６）。制御部１００は、操作者がいずれかの設定キーを指で触れてそのままその指を上記の合成エリアまで移動させた（ドラッグ＆ドロップ操作）と判定した場合（Ｓ３でＹＥＳ）、合成エリアに当該設定キーを、この時点で当該設定キーに設定されている設定値を示す画像により表示させる（Ｓ４）。
【００３１】
なお、設定キーの上記設定値変更処理、及びタッチパネル機能による上記合成エリアに設定キーを移動させるドラッグ＆ドロップ操作の検出は、制御部１００が、後述する合成指示を受け付けるまで続く。
【００３２】
例えば、図６に示すように、操作者が「こく＋１」に設定した「濃度」キーＫ１３を合成エリア２００にドラッグ＆ドロップ操作した場合、制御部１００は、合成エリア２００に「濃度」キーＫ１３の設定値「こく＋１」の画像を表示させる。更に、操作者が「７０％」に設定した「縮小／拡大」キーＫ１２を合成エリア２００にドラッグ＆ドロップ操作した場合、制御部１００は、合成エリア２００に「縮小／拡大」キーＫ１２の設定値「７０％」の画像を追加して表示させる。
【００３３】
図７は、図４に示した画面例において任意の設定キーを合成エリアにドラッグ＆ドロップ操作する様子を示す図である。例えば、図６に示した状態から、操作者が「カラー／画質」タブＴ２にタッチして、このタッチ操作がタッチパネル機能により検出されると、制御部１００は、この操作に基づいて、図７に示す画面に切り替える。そして、この画面において、操作者が「ブルー」キーＫ３６を合成エリア２００にドラッグ＆ドロップ操作すると、これをタッチパネル機能が検出し、制御部１００は、合成エリア２００に「単色カラー」キーＫ２４の設定値「ブルー」の画像を更に追加して表示させる（図７）。
【００３４】
制御部１００は、合成エリア２００に、合成エリア２００にドラッグ＆ドロップ操作された複数の設定キーを合成する指示を受け付けるための「合成」キーＫ４１、作成された新たな設定キーを削除する指示を受け付けるための「削除」キーＫ４２、及び作成された新たな設定キーを元の複数の設定キーに分解する指示を受け付けるための「解除」キーＫ４３を表示させている。
【００３５】
キー作成部１０１は、操作者が「合成」キーＫ４１に触れたことがタッチパネル機能により検出されたとき（Ｓ５でＹＥＳ）、そのとき合成エリアに表示されている複数の設定キーを合成して新たな設定キーを作成する（Ｓ６）。制御部１００は、作成された新たな設定キーを合成エリアに表示する（Ｓ７）。
【００３６】
図８は、ドラッグ＆ドロップ操作された複数の設定キーを合成して新たな設定キーを作成する様子を示す図である。例えば、図７に示したように、合成エリア２００に「濃度」キーＫ１３の設定値「こく＋１」の画像、「縮小／拡大」キーＫ１２の設定値「７０％」の画像、及び「単色カラー」キーＫ２４の設定値「ブルー」の画像が表示されている場合において、「合成」キーＫ４１が押されると、キー作成部１０１は、これら３つの設定キーを合成して新たな設定キーＫ５０を作成する。すなわち、キー作成部１０１は、１つのタブに基づいて表示される画面に表示されている設定キー同士だけではなく、他のタブに切り換えたときに表示される画面表示されている設定キーも、上記ドラッグ＆ドロップ操作に基づく合成指示に従って合成し、新たな設定キーを作成する。なお、図８に示すように、制御部１００は、作成された新たな設定キーＫ５０を作成済み設定キーとして合成エリアに表示する。
【００３７】
更に、キー作成部１０１は、当該新たな設定キー作成の元となった複数の設定キーに対応する各設定項目について、上記合成エリア２００へのドラッグ＆ドロップ操作がされた時点で設定されていた各設定値を、当該作成した新たな設定キーに対応付けて、当該新たな設定キーに対応付けた各設定値をＨＤＤ９２や図略の不揮発性メモリーに記憶させる（Ｓ８）。なお、当該新たな設定キーがどのような設定項目のどのような設定値を保持しているのかが一目で分かるように、図８に示すように、制御部１００は、例えば、各設定値を羅列して当該新たな設定キーを表示する。
【００３８】
ここで、図９に示すように、例えば、表示部４７３に「簡単設定」タブＴ１を表示させた状態で、合成エリア２００の新たな設定キーＫ５０を「簡単設定」タブエリアへドラッグ＆ドロップ操作し、これがタッチパネル機能により検出されると、制御部１００は、新たな設定キーＫ５０に対するタッチ操作に応じて、当該新たな設定キーＫ５０に対応付けられている各設定値を受付可能に待機する。すなわち、制御部１００は、新たな設定キーＫ５０を、対応付けられている各設定値を受け付け可能なキーとして確定する。図９は、新たな設定キーを確定させる様子を示す図である。
【００３９】
なお、キー作成部１０１は、合成エリアにおいて作成した新たな設定キーに関して解除指示がタッチパネル機能により受け付けられたとき、例えば、操作者が「解除」キーＫ４３を押した場合、上記作成された新たな設定キーを元の複数の設定キーに分解する。例えば、図８に示したような新たな設定キーＫ５０が作成され、制御部１００により表示部４７３に表示されている場合において「解除」キーＫ４３が押されると、キー作成部１０１は、新たな設定キーＫ５０を、３つの設定キーに分解する。制御部１００は、図７に示すように、当該分解されたことを示す３つの設定キー、設定値「こく＋１」の画像、設定値「７０％」の画像、及び設定値「ブルー」の画像を合成エリアに表示させる。
【００４０】
また、キー作成部１０１は、合成エリアに制御部１００により表示されている、作成済みの新たな設定キー、例えば新たな設定キーＫ５０についての削除指示がタッチパネル機能により受け付けられると、当該作成済みの新たな設定キーを削除する。また、キー作成部１０１は、合成エリアに制御部１００により表示されている、合成前（作成前）の新たな設定キー、例えば設定値「こく＋１」の画像、設定値「７０％」の画像、又は設定値「ブルー」の画像についての削除指示がタッチパネル機能により受け付けられると、当該指示により削除の対象とされた設定キーを削除する。例えば、操作者が、削除対象とする設定キーにタッチ操作をした後、「削除」キーＫ４２にタッチ操作し、タッチパネル機能によりこれらの操作が検出されたとき、キー作成部１０１は、合成エリアから当該新たな設定キーを削除する。
【００４１】
次に、キー作成部１０１によって作成された新たな設定キーがタッチ操作されたときの設定値受付処理について説明する。図１０は、新たな設定キーがタッチ操作されたときの設定値受付処理を示すフローチャートである。
【００４２】
新たな設定キーに対するタッチ操作がタッチパネル機能により検出されると、設定値受付部１０２は、上述した、新たな設定キーに対応付けた各設定値が記憶されているＨＤＤ９２又は不揮発性メモリーを参照して、当該タッチ操作された新たな設定キーに対応付けて記憶されている各設定項目の設定値を取得する（Ｓ１１）。そして、設定値受付部１０２は、当該新たな設定キー作成の元となった複数の設定キーに対応する各設定項目についての設定値として、当該取得した、上記新たな設定キーに設定されている各設定値を受け付ける（Ｓ１２）。
【００４３】
例えば、図９に示す画面の表示時に、キーＫ５０に対するタッチ操作がタッチパネル機能により検出されると、設定値受付部１０２は、「簡単設定」タブＴ１（図３）の「拡大／縮小」キーＫ１２の設定値を「７０％」とし、「濃度」キーＫ１３の設定値を「こく＋１」として受け付けるとともに、更に、「カラー／画質」タブＴ２（図４）における「単色カラー」キーＫ２４及び「ブルー」キーＫ３６についての設定値として「単色ブルー」を受け付ける。
【００４４】
以上のように、操作者は、よく利用する設定項目及びその設定値を新たな設定キーとしてまとめておいて、当該新たな設定キーにタッチするだけで複数の設定項目の設定値を設定することができる。すなわち、複数の設定項目についての設定値をまとめて設定する際の操作性が向上する。
【００４５】
また、図９に示したように、合成エリアにおいて作成された新たな設定キーＫ５０を、対応付けられた設定値の受付が可能となるように、操作者所望の画面で確定させることができるため、操作者の利便性をより一層向上させることができる。
【００４６】
また、作成済みの新たな設定キーを更新するには、操作者は、「解除」キーＫ４３を押して元の複数の設定キーに一旦分解し、当該分解された元の複数の設定キーに未合成の設定キーを合成対象として追加する、又は当該分解された元の複数の設定キーから不要な設定キーを削除して他の設定値を示す設定キーを合成対象として追加する等の操作を行ってから、再度「合成」キーＫ４１を押してこれら複数の設定キーを合成する。また、これ以外にも、複数の設定キーが合成された状態のままで新たな設定キーを更新することができる。
【００４７】
次に、合成エリアにおいて作成された新たな設定キーの更新処理について説明する。図１１は、新たな設定キーの更新処理を示すフローチャートである。
【００４８】
合成エリアにおいて作成済みの設定キー（例えば、図８の新たな設定キーＫ５０）に別の設定キーが重ねてドラッグ＆ドロップ操作され、タッチパネル機能により検出されたとき（Ｓ２１でＹＥＳ）、キー作成部１０１は、当該別の設定キーが未合成のキーであるか、又は他の作成済みの設定キーであるかを判定する（Ｓ２２）。キー作成部１０１は、上記重ねられた設定キーが、未合成の設定キーであると判定した場合（Ｓ２２でＹＥＳ）、上記合成エリアにおいて作成済みの設定キーに対する更なる合成の対象として、当該未合成の設定キーを追加する（Ｓ２３）。
【００４９】
図１２は、新たな設定キーに未合成の設定キーを追加する様子を示す図である。例えば、新たな設定キーＫ５０に「拡大／縮小」キーＫ１２（設定値「７０％」）、「濃度」キーＫ１３（設定値「こく＋１」）、及び「単色カラー」キーＫ２４（設定値「ブルー」）の３つの設定キーが合成されている場合において、当該新たな設定キーＫ５０に未合成の「ページ集約」キーＫ１５（設定値「２  ｉｎ  １」）がドラッグ＆ドロップ操作されて追加された場合、新たな設定キーＫ５０に「ページ集約」キーＫ１５の設定値が追加される。
【００５０】
一方、キー作成部１０１は、上記合成エリアにおいて作成済みの設定キーに重ねられた別の設定キーが、他の作成済みの設定キーであると判定した場合（Ｓ２２でＮＯ）、上記合成エリアにおいて作成済みの設定キーの設定値と、当該他の作成済みの設定キーの設定値とを比較して、各設定値について変更が発生するか否かを判定する（Ｓ２４）。当該他の作成済みの設定キーの設定値が、上記合成エリアにおいて作成済みの設定キーの設定値とは異なる内容を示している場合は、すなわち、設定値が変更されている場合は（S２４でＹＥＳ）、キー作成部１０１は、上記合成エリアにおいて作成済みの設定キーの設定値を、新たに合成の対象とされた上記他の作成済みの設定キーの設定値に変更する（Ｓ２５）。
【００５１】
すなわち、キー作成部１０１は、合成エリアに既に表示されている作成済み設定キーの表示領域に、別の作成済み設定キーがドラッグ＆ドロップ操作により移動されてきたとき、既に合成エリアに表示されている作成済み設定キーに設定されている設定値であって、移動されてきた別の作成済み設定キーに対応付けられている設定項目と同一の設定項目についての設定値を、当該移動されてきた別の作成済み設定キーに設定されている設定値に更新する。
【００５２】
図１３は、合成エリアに既に表示されている作成済み設定キーの設定値を、移動されてきた別の作成済み設定キーの設定値に更新する様子を示す図である。例えば、新たな設定キーＫ５０に「拡大／縮小」キーＫ１２（設定値「７０％」）、「濃度」キーＫ１３（設定値「こく＋１」）、及び「単色カラー」キーＫ２４（設定値「ブルー」）の３つの設定キーが合成されている場合において、当該新たな設定キーＫ５０に既合成の「濃度」キーＫ１３（設定値「こく＋２」）がドラッグ＆ドロップ操作されて重ねられた場合、キー作成部１０１により、新たな設定キーＫ５０に合成されている「濃度」キーＫ１３の設定値が「こく＋２」に更新される。
【００５３】
この実施形態では、作成済みの設定キーを、元の複数の設定キーに分解せずに、対応付けられている設定値を変更できるため、操作者の利便性を更に向上させることができる。
【００５４】
以上、説明したように、本実施形態によると、操作者がよく利用する設定項目についての設定値を入力するための設定キーを１つにまとめておくことができるため、操作者は、上記合成により新たに作成した設定キーを押すだけで、当該新たに作成した設定キーに対応付けられた複数の設定項目の設定値を入力することができる。これにより、複数の設定項目を有する画像形成装置１において複数の設定項目についての設定値を設定する際の操作性を向上させることができる。
【００５５】
なお、本発明は上記実施の形態の構成に限られず種々の変形が可能である。例えば、制御部１００は、合成エリアに、操作者による上記ドラッグ＆ドロップ操作により、合成の対象とする設定キーが移動されてきたとき、当該設定キーと、合成エリアに既に表示させている設定キーのそれぞれに対応付けられている設定項目同士を比較し、当該各設定項目が予め定められた合成禁止関係にあるときは、当該移動されてきた設定キーを、上記既に表示させている設定キーから離れる方向に移動させるように表示させてもよい。
【００５６】
例えば、図６に示したように、制御部１００が、合成エリア２００に、「濃度」キーＫ１３の設定値「こく＋１」の画像と、「縮小／拡大」キーＫ１２の設定値「７０％」の画像とを表示させているときに、操作者が、ドラッグ＆ドロップ操作により、合成の対象とする設定キーとして、更に設定値「こく＋１」となっている「濃度」キーＫ１３を合成エリアに移動させたとき、制御部１００は、これら設定値「こく＋１」「７０％」と、移動してきた設定キーが示す「こく＋１」とが、予め定められた合成禁止関係にあるか否かを判断する。ここでは、予め定められた合成禁止関係として、同一の設定値を示す関係を、制御部１００が記憶しているものとする。この場合、制御部１００は、上記設定値「こく＋１」「７０％」と、移動してきた設定キーが示す「こく＋１」と各設定値が予め定められた合成禁止関係にあると判断することになるが、制御部１００は、このように判断すると、図１４に示すように、ドラッグ＆ドロップ操作により合成エリア２００に移動されてきた「濃度」キーＫ１３’を、一旦合成エリア２００内に表示するが、図１５に示すように、操作者がドラッグ＆ドロップ操作を終了したときに、「濃度」キーＫ１３’が、上記既に合成エリアに表示させている、「濃度」キーＫ１３の設定値「こく＋１」の画像と、「縮小／拡大」キーＫ１２の設定値「７０％」の画像から、離れる方向に移動していくように表示させる。制御部１００は、このように「濃度」キーＫ１３’を移動させるように表示した後、予め定められた時間経過後に、「濃度」キーＫ１３’を非表示とする。
【００５７】
これにより、操作者は、合成の対象とする設定キーが、合成エリアに既に表示させている設定キーには合成できないことを容易に把握することができる。なお、上記予め定められた合成禁止関係は、上記例に限定されず、様々な設定値同士の組み合わせを、合成禁止関係として、制御部１００に記憶させておくことが可能である。
【００５８】
また、上記実施形態では、キー作成部１０１は、合成エリアにおいて作成した新たな設定キーに関して解除指示がタッチパネル機能により受け付けられたとき、当該作成された新たな設定キーを元の複数の設定キーに分解するものとしているが、キー作成部１０１は、これに代えて、又はこれと共に、以下のようにして、当該新たな設定キーを元の複数の設定キーに分解するようにしてもよい。
【００５９】
すなわち、キー作成部１０１は、タッチパネル機能により、合成エリアに既に表示されている上記作成された新たな設定キー（作成済み設定キー）に対する操作者によるタッチ操作が受け付けられ、更に、当該新たな設定キーについての解除指示が受け付けられたとき、当該作成済み設定キーの表示領域においてタッチ操作が受け付けられた箇所に応じた、元の複数の設定キーへの分解処理を行う。
【００６０】
例えば、図１６に示すように、操作者が、合成エリア２００に表示されている新たな設定キーＫ５０の表示領域において、ポイントｐ１の箇所にタッチ操作を行い、これがタッチパネル機能により受け付けられ、この後、「解除」キーＫ４３に対するタッチ操作がタッチパネル機能により受け付けられた場合、キー作成部１０１は、新たな設定キーＫ５０を分解して、当該ポイントｐ１の箇所に表示領域を有して表示されている設定キーを、他の設定キーから分離する。
【００６１】
例えば、図１６に示す新たな設定キーＫ５０における「単色ブルー」キーＫ５０１の表示領域におけるポイントｐ１で操作者によるタッチ操作がタッチパネル機能により受け付けられると、キー作成部１０１は、当該ポイントｐ１の箇所に表示領域を有する「単色ブルー」キーＫ５０１を、「70％」キーＫ５０２及び「こく＋１」キーＫ５０３から分離し、図１７に示すように、「単色ブルー」キーＫ５０１と、「70％」キーＫ５０２及び「こく＋１」キーＫ５０３が合成されてなる設定キーＫ５１０とを作成する。このように作成された「単色ブルー」キーＫ５０１と設定キーＫ５１０キーを、操作者がドラッグ＆ドロップ操作により「簡単設定」タブエリアへドラッグ＆ドロップ操作し、これがタッチパネル機能により検出されると、制御部１００は、当該ドラッグ＆ドロップ操作により「簡単設定」タブエリアに移動されてきたキーに対するタッチ操作に応じて、当該キーに対応付けられている設定値を受付可能に待機する。すなわち、制御部１００は、当該新たな分解により作成されたキーを、これに対応付けられている設定値を受け付け可能なキーとして確定する。
【符号の説明】
【００６２】
１        画像形成装置（電子機器）
４７      操作部
４７３    表示部
１００    制御部
１０１    キー作成部
１０２    設定値受付部
１２      画像形成部
【図１】
2016218637.tif 000003
【図２】
2016218637.tif 000004
【図３】
2016218637.tif 000005
【図４】
2016218637.tif 000006
【図５】
2016218637.tif 000007
【図６】
2016218637.tif 000008
【図７】
2016218637.tif 000009
【図８】
2016218637.tif 000010
【図９】
2016218637.tif 000011
【図１０】
2016218637.tif 000012
【図１１】
2016218637.tif 000013
【図１２】
2016218637.tif 000014
【図１３】
2016218637.tif 000015
【図１４】
2016218637.tif 000016
【図１５】
2016218637.tif 000017
【図１６】
2016218637.tif 000018
【図１７】
2016218637.tif 000019